(57)【特許請求の範囲】
【請求項１】
原稿から読み取った画像データをメモリに蓄積する画像蓄積手段と、該手段によってメモリに蓄積された画像データを相手先ファックス番号に基づいて送信する送信手段と、スタートキーが入力されると、前記原稿からの画像データの読み取りとメモリへの蓄積を開始し、その蓄積中は、メッセージを表示して前記相手先ファックス番号の入力を促し、前記メッセージの表示後、前記相手先ファックス番号が入力され、スタートキーが入力されると、前記相手先ファックス番号を設定し、前記画像データの読み取りとメモリへの蓄積が終了していなければ前記画像データの読み取りとメモリへの蓄積を継続して、前記原稿からの画像データの読み取りとメモリへの蓄積と前記相手先ファックス番号と前記スタートキーの入力が終了したら前記相手先ファックス番号へ前記メモリに蓄積された画像データを送信する手段とを備えたことを特徴とするファクシミリ装置。
【請求項２】
原稿から読み取った画像データをメモリに蓄積する画像蓄積手段と、該手段によってメモリに蓄積された画像データを予め登録された相手先ファックス番号から選択された相手先ファックス番号に基づいて送信する送信手段と、スタートキーが入力されると、前記原稿からの画像データの読み取りとメモリへの蓄積を開始し、その蓄積中は、メッセージを表示して前記相手先ファックス番号の選択の入力を促し、前記メッセージの表示後、前記相手先ファックス番号が入力されると、前記相手先ファックス番号を設定し、前記画像データの読み取りとメモリへの蓄積が終了していなければ前記画像データの読み取りとメモリへの蓄積を継続して、前記原稿からの画像データの読み取りとメモリへの蓄積と前記相手先ファックス番号の選択の入力が終了したら前記相手先ファックス番号へ前記メモリに蓄積された画像データを送信する手段とを備えたことを特徴とするファクシミリ装置。
【請求項３】
過去に入力された相手先ファックス番号を登録するファックス番号登録手段と、該手段に登録された相手先ファックス番号を検索して入力するファックス番号検索手段と、原稿から読み取った画像データをメモリに蓄積する画像蓄積手段と、該手段によってメモリに蓄積された画像データを前記ファックス番号検索手段によって検索して入力された相手先ファックス番号に基づいて送信する送信手段と、スタートキーが入力されると、前記原稿からの画像データの読み取りとメモリへの蓄積を開始し、その蓄積中は、メッセージを表示して前記相手先ファックス番号の検索入力を促し、前記相手先ファックス番号が検索入力されると、前記相手先ファックス番号を設定し、前記画像データの読み取りとメモリへの蓄積が終了していなければ前記画像データの読み取りとメモリへの蓄積を継続して、前記原稿からの画像データの読み取りとメモリへの蓄積と前記相手先ファックス番号の検索入力が終了したら前記相手先ファックス番号へ前記メモリに蓄積された画像データを送信する手段とを備えたことを特徴とするファクシミリ装置。
【発明の詳細な説明】
【０００１】
【発明の属する技術分野】
この発明は、原稿から読み取った画像データをメモリ通信可能なファクシミリ装置に関する。
【０００２】
【従来の技術】
従来、原稿から読み取った画像データを一旦メモリに蓄積し、その蓄積された画像データを入力された相手先ファックス番号のファクシミリ装置へ一括して送信するメモリ通信機能を備えたファクシミリ装置（例えば、実開平１−１０８６６０号公報参照）があった。
【０００３】
【発明が解決しようとする課題】
しかしながら、従来のファクシミリ装置のメモリ通信機能では、オペレータは原稿を原稿テーブルに乗せ、送り先である相手先ファックス（ＦＡＸ）番号を入力し、送信スタートを入力する作業の流れであり、ＦＡＸ番号の入力時間はそれ単独のみの時間となっていて、他の動作は総て指示待ちをしている状況である。
【０００４】
つまり、ファクシミリ装置はオペレータによるＦＡＸ番号の入力のときは指示待ち状態になり、その入力後に画像データのメモリ蓄積を開始するので、メモリ蓄積送信時の処理時間がかかるという問題があった。
とくに、初めて入力するＦＡＸ番号であれば、その入力に時間がかかるので一層メモリ蓄積送信時の処理時間が増してしまう。
【０００５】
また、予め相手先ファックス番号を登録番号で登録しておき、その登録番号の入力によって相手先ファックス番号を一度に入力できる機能を備えていても、その登録番号の入力が終了しない限り、ファクシミリ装置は次の処理ステップである画像データのメモリ蓄積へ進めないので、メモリ蓄積送信時の処理時間がかかるという問題があった。
【０００６】
さらに、過去に使用したことがある相手先ファックス番号を自動的に登録し、ファックス番号入力時にその登録された番号を検索して入力するＡＩリダイヤル機能を備えていても、その機能は単に過去に使用したことが有る番号を複数登録するだけであり、一覧検索のように検索作業を能率良く行なえるような配慮が施されていない。
【０００７】
その結果、ごく最近に使用した希望のファックス番号でも簡単に入力できないことが有る。したがって、ファックス番号の検索入力に手間がかかればかかるほど、メモリ蓄積送信時の処理時間がかかるという問題があった。
【０００８】
この発明は上記の点に鑑みてなされたものであり、原稿の画像データのメモリ蓄積送信時の処理時間を短縮することを目的とする。
【０００９】
【課題を解決するための手段】
この発明は上記の目的を達成するため、原稿から読み取った画像データをメモリに蓄積する画像蓄積手段と、その手段によってメモリに蓄積された画像データを相手先ファックス番号に基づいて送信する送信手段と、スタートキーが入力されると、上記原稿からの画像データの読み取りとメモリへの蓄積を開始し、その蓄積中は、メッセージを表示して上記相手先ファックス番号の入力を促し、上記メッセージの表示後、上記相手先ファックス番号が入力され、スタートキーが入力されると、上記相手先ファックス番号を設定し、上記画像データの読み取りとメモリへの蓄積が終了していなければ上記画像データの読み取りとメモリへの蓄積を継続して、上記原稿からの画像データの読み取りとメモリへの蓄積と上記相手先ファックス番号と上記スタートキーの入力が終了したら上記相手先ファックス番号へ上記メモリに蓄積された画像データを送信する手段を備えたファクシミリ装置を提供する。
【００１０】
また、原稿から読み取った画像データをメモリに蓄積する画像蓄積手段と、その手段によってメモリに蓄積された画像データを予め登録された相手先ファックス番号から選択された相手先ファックス番号に基づいて送信する送信手段と、スタートキーが入力されると、上記原稿からの画像データの読み取りとメモリへの蓄積を開始し、その蓄積中は、メッセージを表示して上記相手先ファックス番号の選択の入力を促し、上記メッセージの表示後、上記相手先ファックス番号が入力されると、前記相手先ファックス番号を設定し、上記画像データの読み取りとメモリへの蓄積が終了していなければ上記画像データの読み取りとメモリへの蓄積を継続して、上記原稿からの画像データの読み取りとメモリへの蓄積と上記相手先ファックス番号の選択の入力が終了したら上記相手先ファックス番号へ上記メモリに蓄積された画像データを送信する手段を備えたファクシミリ装置を提供する。
【００１１】
さらに、過去に入力された相手先ファックス番号を登録するファックス番号登録手段と、その手段に登録された相手先ファックス番号を検索して入力するファックス番号検索手段と、原稿から読み取った画像データをメモリに蓄積する画像蓄積手段と、その手段によってメモリに蓄積された画像データを上記ファックス番号検索手段によって検索して入力された相手先ファックス番号に基づいて送信する送信手段と、スタートキーが入力されると、上記原稿からの画像データの読み取りとメモリへの蓄積を開始し、その蓄積中は、メッセージを表示して上記相手先ファックス番号の検索入力を促し、上記相手先ファックス番号が検索入力されると、上記相手先ファックス番号を設定し、上記画像データの読み取りとメモリへの蓄積が終了していなければ上記画像データの読み取りとメモリへの蓄積を継続して、上記原稿からの画像データの読み取りとメモリへの蓄積と上記相手先ファックス番号の検索入力が終了したら上記相手先ファックス番号へ上記メモリに蓄積された画像データを送信する手段を備えたファクシミリ装置を提供する。
【００１８】
【発明の実施の形態】
以下、この発明の実施の形態を図面に基づいて具体的に説明する。
図１は、この発明の一実施形態のファクシミリ装置の構成を示すブロック図である。このファクシミリ装置は、ＣＰＵ，ＲＯＭ，及びＲＡＭ等からなるマイクロコンピュータを内蔵し、スキャナ１，原稿検知部２，メモリ３，操作部４，通信制御部５，プロッタ６，イネーブル待機部７，及びファクシミリ制御部８の各機能部を備えている。
【００１９】
スキャナ１は、原稿から画像データを読み取る画像読取装置である。原稿検知部２は、原稿がスキャナ１にセットされたことを検知するセンサである。
メモリ３は、原稿から読み取った画像データ，ファクシミリ受信した画像データを蓄積する記憶装置である。
【００２０】
操作部４は、ファクシミリ送信時の各種のモード，ファクシミリ送信開始，相手先ファックス番号等を入力する各種のキー群と、メモリ蓄積によるファクシミリ送信等の各種作業時のメッセージを表示するＬＣＤ等のディスプレイを備えている。
【００２１】
通信制御部５は、公衆回線を介して相手先のファクシミリ装置との画像データのファクシミリ送受信の制御処理を司る。
プロッタ６は、画像データを記録紙に記録するレーザプリンタ，インクジェットプリンタ等の印刷装置である。
【００２２】
イネーブル待機部７は、画像データのメモリ蓄積送信時、相手先ファックス番号が入力されてファクシミリ送信がスタートされるまでメモリ蓄積された画像を保持して待機させる制御処理を実行する。
ファクシミリ制御部８は、このファクシミリ装置全体の制御を司り、この発明に係る各種の処理を実行する。
【００２３】
すなわち、上記ファクシミリ制御部８が、原稿から読み取った画像データをメモリ３に蓄積する画像蓄積手段の機能を果たす。
また、上記通信制御部５とファクシミリ制御部８が、メモリ３に蓄積された画像データを相手先ファックス番号に基づいて送信する送信手段の機能を果たす。
さらに、上記イネーブル待機部５が、ファクシミリ制御部６による画像データの蓄積を相手先ファックス番号が入力されて送信がスタートされるまで保持するイネーブル待機手段に相当する。
【００２４】
また、上記通信制御部５とファクシミリ制御部８が、メモリ３に蓄積された画像データを予め登録された相手先ファックス番号から選択された相手先ファックス番号に基づいて送信する送信手段の機能も果たす。
さらに、上記ファクシミリ制御部８が、過去に入力された相手先ファックス番号を登録するファックス番号登録手段の機能も果たす。
【００２５】
さらにまた、上記操作部４とファクシミリ制御部８が、登録された相手先ファックス番号を検索して入力するファックス番号検索手段の機能を果たす。
そしてまた、上記通信制御部５とファクシミリ制御部８が、メモリ３に蓄積された画像データを検索して入力された相手先ファックス番号に基づいて送信する送信手段の機能を果たす。
【００２６】
このファクシミリ装置は、原稿の画像データの直接送信とメモリ蓄積送信の機能を備えている。
そのメモリ蓄積送信時の相手先ファックス番号入力方法には３通り有り、ＦＡＸ番号を１つずつ入力する通常入力モードと、予め登録番号に登録されたＦＡＸ番号を入力する登録番号入力モードと、過去に使用されて自動的に登録されたＦＡＸ番号を検索して入力するリダイヤル検索入力モードである。
【００２７】
このファクシミリ装置では、通常入力モードがデフォルトで設定されており、他の登録番号入力モードとリダイヤル検索入力モードへは切替入力を行なうことによって設定する。
【００２８】
次に、通常入力モードによるこの発明に係るメモリ蓄積送信処理について説明する。図２は、通常入力モードによるメモリ蓄積送信処理を示すフローチャートである。この処理は、ステップ（図中「Ｓ」で示す）１で原稿有無を検知し、ステップ２へ進んでメモリ蓄積送信方法を選択したか否かを判断して、選択されなければステップ７へ進んで直接送信処理をし、この処理を終了する。
【００２９】
ステップ２の判断でメモリ蓄積送信方法が選択されたら、ステップ３へ進んで原稿の読み取りを開始し、その読み取った画像データをメモリに蓄積し、ステップ４へ進んでその蓄積中にファックス（ＦＡＸ）番号を入力して、ステップ５へ進んでＦＡＸ番号入力が終了したか否かを判断し、入力が終了していなければ、ステップ８へ進んでメモリに蓄積された画像データを保持して送信を待機させるスタートイネーブル待機処理を実行し、再びステップ５へ戻る。
【００３０】
そして、ステップ５の判断でＦＡＸ番号入力が終了すれば、ステップ６へ進んで送信をスタートし、入力されたＦＡＸ番号のファクシミリ装置へメモリに蓄積された画像データを送信する処理を開始する。
【００３１】
さらに、図３乃至図５も使用して説明する。
図３乃至図５は、通常入力モードによるメモリ蓄積送信時の操作部におけるオペレーション及びメッセージ表示等を示す図である。
【００３２】
図３に示すように、オペレータによって原稿１７が原稿テーブル１６に乗せられてファクシミリ本体のスキャナの読取口に差し込まれると、原稿検知部２によって原稿を検知する。
その後、メモリ蓄積／直接送信選択キー１１の入力によって直接送信が選択され、スタートキー１２が入力されると、その入力された相手先ＦＡＸ番号に原稿１７から画像を読み取って逐次ファクシミリ送信する。
【００３３】
一方、メモリ蓄積送信が選択され、スタートキー１２が入力されると、画像の読み取りを開始し、原稿１７を図中の矢示方向に搬送してその画像データのメモリ蓄積を実行する。その蓄積中は、図４に示すように、ディスプレイ１０にメッセージ「メモリ  チクセキチュウデス。ＦＡＸバンゴウヲ  入力シテクダサイ。」を表示し、オペレータに送信先の相手先ＦＡＸ番号の入力を促す。
【００３４】
そのメッセージの表示後、オペレータによってテンキー１３による相手先ＦＡＸ番号が入力され、スタートキー１２が入力されると、図５に示すように、ディスプレイ１０にそのＦＡＸ番号「０１２３−○○○−△△△△」を表示すると共に、その相手先ＦＡＸ番号を設定する。その間は原稿１７の画像データのメモリ蓄積は継続して行なう。
【００３５】
原稿１７からの画像データの読み取りとメモリ蓄積が終了したとき、ＦＡＸ番号の入力が終了していなければ、メモリ蓄積された画像データの送信スタートをイネーブル待機し、ＦＡＸ番号の入力の終了まで送信を待機する。
そして、ＦＡＸ番号の入力が終了したら、メモリ蓄積された画像データをそのＦＡＸ番号のファクシミリ装置へメモリ送信する。
【００３６】
このようにして、メモリ蓄積送信の際に、以前は原稿セット→ＦＡＸ番号入力→送信スタート→画像データを読み取りメモリ蓄積→メモリ蓄積後送信という処理手順で行なっていたものを、原稿セット→送信スタート→画像データを読み取りメモリ蓄積，及びＦＡＸ番号入力→メモリ蓄積終了後送信という処理手順にする。したがって、原稿の画像データをスキャナによって読み取ってメモリに蓄積中にＦＡＸ番号を入力することができ、メモリ送信時の処理時間を短縮することができる。
このファクシミリ装置は、原稿から読み取った画像データをメモリに蓄積し、そのメモリに蓄積された画像データを相手先ファックス番号に基づいて送信するとき、画像データの蓄積を相手先ファックス番号が入力されて送信がスタートされるまで保持するので、原稿の画像の読み取り中に送信先の相手先ファックス番号を入力することができる。
したがって、オペレータの入力作業時の処理の待機時間を削減することができ、原稿をセットしてから画像データをメモリに蓄積して送信するまでの処理時間を短縮することができる。
【００３７】
次に、登録番号入力モードによるこの発明に係るメモリ蓄積送信処理について説明する。図６は、登録番号入力モードによるメモリ蓄積送信処理を示すフローチャートである。
この処理は、入力モードが登録番号入力モードに切り替えられた後、ステップ（図中「Ｓ」で示す）１１で原稿有無を検知し、ステップ１２へ進んでメモリ蓄積送信方法を選択したか否かを判断して、選択されなければステップ１７へ進んで直接送信処理をし、この処理を終了する。
【００３８】
ステップ１２の判断でメモリ蓄積送信方法が選択されたら、ステップ１３へ進んで原稿の読み取りを開始し、その読み取った画像データをメモリに蓄積し、その蓄積中にステップ１４の登録番号入力によるファックス（ＦＡＸ）番号の入力を実施する。
【００３９】
その後、ステップ１５へ進んでＦＡＸ番号入力が終了したか否かを判断し、入力が終了していなければ、ステップ１８へ進んでメモリに蓄積された画像データを保持して送信を待機させるスタートイネーブル待機処理を実行し、再びステップ１５へ戻る。そして、ステップ１５の判断でＦＡＸ番号入力が終了すれば、ステップ１６へ進んで送信をスタートし、入力されたＦＡＸ番号のファクシミリ装置へメモリに蓄積された画像データを送信する処理を開始する。
【００４０】
さらに、図３と図７及び図８も使用して説明する。
図７及び図８は、登録番号入力モードによるメモリ蓄積送信時の操作部におけるオペレーション及びメッセージ表示等を示す図である。
まず、予め入力モード変更キー１４によって登録番号入力モードが設定されると、メモリ蓄積送信時には通常のＦＡＸ番号の入力と共に、登録番号によるＦＡＸ番号の入力も可能にする。
【００４１】
この場合、図３に示した登録番号キー１５のそれぞれのキーには、予め相手先ＦＡＸ番号が登録されており、この登録番号キー１５を選択入力することにより、そのキーに登録されたＦＡＸ番号が一度に入力することができる。
【００４２】
そこで、図３に示したように、オペレータによって原稿１７が原稿テーブル１６に乗せられてファクシミリ本体のスキャナの読取口に差し込まれると、原稿検知部２によって原稿を検知する。
その後、メモリ蓄積／直接送信選択キー１１の入力によって直接送信が選択され、スタートキー１２が入力されると、その入力された相手先ＦＡＸ番号に原稿１７から画像を読み取って逐次ファクシミリ送信する。
【００４３】
一方、メモリ蓄積送信が選択され、スタートキー１２が入力されると、画像の読み取りを開始し、原稿１７を図中の矢示方向に搬送してその画像データのメモリ蓄積を実行する。その蓄積中は、図７に示すように、ディスプレイ１０にメッセージ「メモリ  チクセキチュウデス。トウロクバンゴウ  又ハ  ＦＡＸバンゴウヲ  入力シテクダサイ。」を表示し、オペレータに送信先の相手先ＦＡＸ番号の入力を促す。
【００４４】
そのメッセージの表示後、オペレータによって登録番号キー１５による相手先ＦＡＸ番号が入力されると、図８に示すように、ディスプレイ１０にそのＦＡＸ番号「０１２３−○○○−△△△△」を表示すると共に、その相手先ＦＡＸ番号を設定する。その間は原稿１７の画像データのメモリ蓄積は継続して行なう。
【００４５】
原稿１７からの画像データの読み取りとメモリ蓄積が終了したとき、ＦＡＸ番号の入力が終了していなければ、メモリ蓄積された画像データの送信スタートをイネーブル待機し、ＦＡＸ番号の入力の終了まで送信を待機する。
そして、ＦＡＸ番号の入力が終了したら、メモリ蓄積された画像データをそのＦＡＸ番号のファクシミリ装置へメモリ送信する。
【００４６】
このようにして、メモリ蓄積送信の際、以前は原稿セット→登録番号入力→送信スタート→画像データを読み取りメモリ蓄積→メモリ蓄積後送信という処理手順で行なっていたものを、原稿セット→送信スタート→画像データを読み取りメモリ蓄積，及び登録番号入力→メモリ蓄積終了後送信という処理手順にする。
【００４７】
したがって、原稿の画像データをスキャナによって読み取ってメモリに蓄積中に、操作部上のキー配列から送信先のＦＡＸ番号の登録番号を探し出して入力することができ、メモリ送信時の処理時間を短縮することができる。
このファクシミリ装置は、原稿から読み取った画像データをメモリに蓄積し、そのメモリに蓄積された画像データを予め登録された相手先ファックス番号から選択された相手先ファックス番号に基づいて送信するとき、画像データの蓄積を相手先ファックス番号が入力されて送信がスタートされるまで保持するようにすれば、原稿の画像の読み取り中に予め登録番号で登録された送信先の相手先ファックス番号を指定して入力することができる。
したがって、オペレータの入力作業時の処理の待機時間を削減することができ、原稿をセットしてから画像データをメモリに蓄積して送信するまでの処理時間を短縮することができる。
【００４８】
次に、リダイヤル検索入力モードによるこの発明に係るメモリ蓄積送信処理について説明する。図９は、リダイヤル検索入力モードによるメモリ蓄積送信処理を示すフローチャートである。
この処理は、入力モードがリダイヤル検索入力モードに切り替えられた後、ステップ（図中「Ｓ」で示す）２１で原稿有無を検知し、ステップ２２へ進んでメモリ蓄積送信方法を選択したか否かを判断して、選択されなければステップ２９へ進んで直接送信処理をし、この処理を終了する。
【００４９】
ステップ２２の判断でメモリ蓄積送信方法が選択されたら、ステップ２３へ進んで原稿の読み取りを開始し、その読み取った画像データをメモリに蓄積し、その蓄積中にステップ２４へ進んでリダイヤル検索か否かを判断して、リダイヤル検索入力でなければ、ステップ３０へ進んでＦＡＸ番号を入力してステップ２７へ進む。
【００５０】
また、ステップ２４の判断でリダイヤル検索入力ならステップ２５へ進んで過去に入力されて自動的に登録したＦＡＸ番号の検索をし、ステップ２６へ進んでその検索されたリダイヤル番号を入力して、ステップ２７へ進む。
ステップ２７ではＦＡＸ番号入力が終了したか否かを判断して、入力が終了していなければ、ステップ３１へ進んでメモリに蓄積された画像データを保持して送信を待機させるスタートイネーブル待機処理を実行し、再びステップ２７へ戻る。
【００５１】
そして、ステップ２７の判断でＦＡＸ番号入力が終了すれば、ステップ２８へ進んで送信をスタートし、入力されたＦＡＸ番号のファクシミリ装置へメモリに蓄積された画像データを送信する処理を開始する。
【００５２】
さらに、図３と図１０及び図１１も使用して説明する。
図１０及び図１１は、リダイヤル検索入力モードによるメモリ蓄積送信時の操作部におけるオペレーション及びメッセージ表示等を示す図である。
まず、予め入力モード変更キー１４によってリダイヤル検索入力モードが設定されると、メモリ蓄積送信時には通常のＦＡＸ番号の入力と共に、過去に入力されて自動的に登録したＦＡＸ番号のリダイヤル入力も可能にする。
【００５３】
そこで、図３に示したように、オペレータによって原稿１７が原稿テーブル１６に乗せられてファクシミリ本体のスキャナの読取口に差し込まれると、原稿検知部２によって原稿を検知する。
その後、メモリ蓄積／直接送信選択キー１１の入力によって直接送信が選択され、スタートキー１２が入力されると、その入力された相手先ＦＡＸ番号に原稿１７から画像を読み取って逐次ファクシミリ送信する。
【００５４】
一方、メモリ蓄積送信が選択され、スタートキー１２が入力されると、画像の読み取りを開始し、原稿１７を図中の矢示方向に搬送してその画像データのメモリ蓄積を実行する。
【００５５】
その蓄積中は、図１０に示すように、ディスプレイ１０にメッセージ「リダイヤルバンゴウ  ケンサク。」と共に、登録されているリダイヤルＦＡＸ番号の一部「１．０１２３−○○−○○○○，２．０１２４−△△−○○○○，３．０１２４−□□−□□□□，４．０１２３−××−××××」が表示され、オペレータに送信先の相手先ＦＡＸ番号の検索入力を促す。
【００５６】
このリダイヤルＦＡＸ番号が多数有って一度にディスプレイ１０に表示できない場合、例えば、テンキーの「＊」キーを押下される毎に、他のリダイヤルＦＡＸ番号を一覧表示する。
【００５７】
そして、オペレータによってテンキー１３による相手先のリダイヤルＦＡＸ番号が検索入力されると、図１１に示すように、ディスプレイ１０にそのＦＡＸ番号「０１２４−△△−○○○○」を表示すると共に、その相手先ＦＡＸ番号を設定する。その間は原稿１７の画像データのメモリ蓄積は継続して行なう。
【００５８】
原稿１７からの画像データの読み取りとメモリ蓄積が終了したとき、ＦＡＸ番号の入力が終了していなければ、メモリ蓄積された画像データの送信スタートをイネーブル待機し、ＦＡＸ番号の入力の終了まで送信を待機する。
そして、ＦＡＸ番号の入力が終了したら、メモリ蓄積された画像データをそのＦＡＸ番号のファクシミリ装置へメモリ送信する。
【００５９】
このようにして、メモリ蓄積送信の際、以前は原稿セット→ＦＡＸ番号検索入力→送信スタート→画像データを読み取りメモリ蓄積→メモリ蓄積後送信という処理手順で行なっていたものを、原稿セット→送信スタート→画像データを読み取りメモリ蓄積，及びＦＡＸ番号検索入力→メモリ蓄積終了後送信という処理手順にする。
【００６０】
したがって、原稿の画像データをスキャナによって読み取ってメモリに蓄積中に、操作部上のキー配列から登録されているＦＡＸ番号の中から相手先のＦＡＸ番号を検索して入力することができ、メモリ送信時の処理時間を短縮することができる。
このファクシミリ装置は、過去に入力された相手先ファックス番号を登録し、その登録された相手先ファックス番号を検索して入力し、原稿から読み取った画像データをメモリに蓄積し、そのメモリに蓄積された画像データを上記検索して入力された相手先ファックス番号に基づいて送信するとき、画像データの蓄積を相手先ファックス番号が入力されて送信がスタートされるまで保持するようにすれば、原稿の画像の読み取り中に予め登録された相手先ファックス番号の中から送信先の相手先ファックス番号を検索して入力することができる。
したがって、オペレータの入力作業時の処理の待機時間を削減することができ、原稿をセットしてから画像データをメモリに蓄積して送信するまでの処理時間を短縮することができる。
【００６１】
【発明の効果】
以上説明してきたように、この発明によるファクシミリ装置によれば、原稿から画像データを読み取ってメモリに蓄積する処理中に送信先の相手先ファックス番号を入力し、オペレータの入力作業時の処理の待機時間を削減することにより、原稿の画像データのメモリ蓄積送信時の処理時間を短縮することができる。
【図面の簡単な説明】
【図１】この発明の一実施形態のファクシミリ装置の構成を示すブロック図である。
【図２】図１に示したファクシミリ装置における通常入力モードによるメモリ蓄積送信処理を示すフローチャートである。
【図３】通常入力モードによるメモリ蓄積送信時の操作部におけるオペレーション及びメッセージ表示等を示す図である。
【図４】同じく通常入力モードによるメモリ蓄積送信時の操作部におけるオペレーション及びメッセージ表示等を示す図である。
【図５】また同じく通常入力モードによるメモリ蓄積送信時の操作部におけるオペレーション及びメッセージ表示等を示す図である。
【図６】図１に示したファクシミリ装置における登録番号入力モードによるメモリ蓄積送信処理を示すフローチャートである。
【図７】登録番号入力モードによるメモリ蓄積送信時の操作部におけるオペレーション及びメッセージ表示等を示す図である。
【図８】同じく登録番号入力モードによるメモリ蓄積送信時の操作部におけるオペレーション及びメッセージ表示等を示す図である。
【図９】図１に示したファクシミリ装置におけるリダイヤル検索入力モードによるメモリ蓄積送信処理を示すフローチャートである。
【図１０】リダイヤル検索入力モードによるメモリ蓄積送信時の操作部におけるオペレーション及びメッセージ表示等を示す図である。
【図１１】同じくリダイヤル検索入力モードによるメモリ蓄積送信時の操作部におけるオペレーション及びメッセージ表示等を示す図である。
【符号の説明】
１：スキャナ            ２：原稿検知部
３：メモリ              ４：操作部
５：通信制御部          ６：プロッタ
７：イネーブル待機部    ８：ファクシミリ制御部
１０：ディスプレイ
１１：メモリ蓄積／直接送信選択キー
１２：スタートキー          １３：テンキー
１４：入力モード変更キー    １５：登録番号キー
１６：原稿テーブル          １７：原稿
【図１】
0003562889.tif 000002
【図２】
0003562889.tif 000003
【図３】
0003562889.tif 000004
【図４】
0003562889.tif 000005
【図５】
0003562889.tif 000006
【図６】
0003562889.tif 000007
【図７】
0003562889.tif 000008
【図８】
0003562889.tif 000009
【図９】
0003562889.tif 000010
【図１０】
0003562889.tif 000011
【図１１】
0003562889.tif 000012